(57)【要約】【課題】  地質調査で採取した地盤のコアを保管するためのコア保管箱において、従来の木製とプラスチック製の双方の長所を併せ持ったコア保管箱を提供する。【解決手段】  薄いプラスチック材料を複数の細長い収容空間５ｂが形成されるように成型してトレイ５を構成し、同トレイ５に各収容空間５ｂを覆うプラスチック製のトレイ蓋５ｄを備え、同トレイ５を上方が開放された木箱２の内部空間に脱着自在に配置し、木箱２に木製の箱蓋２ｃを開閉自在に蝶着する。トレイ５の収容空間５ｂには、コアの端部と当接して定位置に保持するプラスチック製のストッパー６を摺動自在に配置する。【選択図】図１
0003123863.tif 000002
【実用新案登録請求の範囲】
【請求項１】
地質調査で採取した地盤のコアを保管するためのコア保管箱であって、薄いプラスチック材料を複数の細長い収容空間が形成されるように成型してトレイを構成し、同トレイに各収容空間を覆うプラスチック製のトレイ蓋を備え、同トレイを上方が開放された木箱の内部空間に脱着自在に配置し、木箱に木製の箱蓋を開閉自在に蝶着した、コア保管箱。
【請求項２】
トレイの外周部に木箱の縁部に掛止する縁片を形成し、箱蓋の閉鎖時にトレイ蓋と前記縁片とが密接されるようにした、請求項１記載のコア保管箱。
【請求項３】
トレイの収容空間にコアの端部と当接して定位置に保持するストッパーを摺動自在に備えた、請求項１又は２記載のコア保管箱。
【請求項４】
トレイとトレイ蓋がポリオレフィン系の合成樹脂で構成されたものである、請求項１〜３いずれか記載のコア保管箱。
【考案の詳細な説明】
【技術分野】
【０００１】
本考案は、地質調査で採取した土砂や岩石等の試料（以下コアという）を収容して保管するためのコア保管箱に関する。
【背景技術】
【０００２】
従来、コア保管箱としては木製とプラスチック製の２種類が使用されている。木製のコア保管箱はベニヤ板で構成されているものが多く（例えば非特許文献１参照）、必要十分の強度を有し、材料費や製作費、使用後の処理費も比較的安価であることから広く多用されている。
【０００３】
ところで、木材は湿気を吸収する性質を有しているからコアの湿気で腐食し、カビが発生したり虫が付着したりして長期の保管には不向きであった。また、湿気が吸収される分コアの乾燥が早くなり、後日にコアの検査をする際は採取時の状態と著しく異なっていることが多く、地層の正確な情報が伝わり難いものであった。また、付着した汚れが落ち難く、前記のように腐食し易いことから再利用は難しいものであった。
【０００４】
一方、プラスチック製のコア保管箱は木製のものと比較して同等かそれ以上の強度を有し、湿気を吸収しないからコアの湿気が外部へ出難く、コアの乾燥を抑制して後日に検査しても採取時の情報を得ることができる。また、腐食し難いから木製のものと比較して長期の保管に向いており、汚れも落とし易く再利用し易いものである。
【０００５】
しかしながら、プラスチックは夏季など気温が高い時期や環境で保管していると変形することがあり、逆に冬季など気温が低い場合は割れやすくなる等の問題があった。また、従来のプラスチックは木製と比較して高価で廃棄時も産業廃棄物扱いとなって処理費用がかさみ、木製ほど普及していない。
【非特許文献１】”合板のプロ  小日向商会”、［online］、小日向商会有限会社、［平成１８年３月３１日検索］、インターネット＜URL:http://www31.ocn.ne.jp/~kohinata/kaisya.html＞
【考案の開示】
【考案が解決しようとする課題】
【０００６】
本考案が解決しようとする課題は、従来のこれらの問題点を解消し、木製とプラスチック製の双方の長所を併せ持ったコア保管箱を提供することにある。
【課題を解決するための手段】
【０００７】
かかる課題を解決した本考案の構成は、
１）  地質調査で採取した地盤のコアを保管するためのコア保管箱であって、薄いプラスチック材料を複数の細長い収容空間が形成されるように成型してトレイを構成し、同トレイに各収容空間を覆うプラスチック製のトレイ蓋を備え、同トレイを上方が開放された木箱の内部空間に脱着自在に配置し、木箱に木製の箱蓋を開閉自在に蝶着した、コア保管箱
２）  トレイの外周部に木箱の縁部に掛止する縁片を形成し、箱蓋の閉鎖時にトレイ蓋と前記縁片とが密接されるようにした、前記１）記載のコア保管箱
３）  トレイの収容空間にコアの端部と当接して定位置に保持するストッパーを摺動自在に備えた、前記１）又は２）記載のコア保管箱
４）  トレイとトレイ蓋とストッパーがポリオレフィン系の合成樹脂で構成されたものである、前記１）〜３）いずれか記載のコア保管箱
にある。
【考案の効果】
【０００８】
本考案によれば、以下のような効果を奏する。
１）強度は少なくとも従来の木製のみ又はプラスチック製のみの製品と同等であり、軽量ながら使用に要する強度を十分保持している。
２）木製を主体とした構成であるが、採取したコアは内側に重ね合わせたプラスチック製のトレイの収容空間に収容するから木箱と接することがなく、カビの発生や虫の付着、腐食等を防止して長期保管が可能となり、トレイの汚れも容易に落とすことができて再利用し易い。
３）トレイはプラスチック製であるからコアの湿気を吸収することがなく、その分コアの乾燥を抑制して後日の検査でも正確な地質情報を得ることができる。
４）使用するプラスチック材料がポリオレフィン系の合成樹脂で構成されたものでは、木箱と同様に可燃物処理でき、処理費用を安価に抑制できる。
【考案を実施するための最良の形態】
【０００９】
本考案では、トレイの外周部に木箱の縁部に掛止する縁片を形成すると、箱蓋の閉鎖時にトレイ蓋と前記縁片とが密接されて収容空間が封止され、収容したコアの湿気の流出を防止できる。また、トレイの収容空間にコアの端部と当接して定位置に保持するプラスチック製のストッパーを摺動自在に備えると、収容したコアの長さが収容空間より短い場合、コア保管箱に振動、衝撃が作用してもコアが収容空間内で動くことがなく、良好な保管状態を保持できる。トレイ蓋はトレイと一体成型するか又は別体のものを取り付ける。箱蓋又はトレイ蓋の内側には採取したコアの情報を記録する記録欄を表記したり記録ボードを取り付けてもよい。
【００１０】
使用するプラスチック材料としては、ポリプロピレンやポリエチレン等のポリオレフィン系の合成樹脂を単体又は複合したものが用いられる。このポリオレフィン系樹脂は、焼却設備を用いて大気汚染防止法等の諸法令に適合した処理を施して焼却処理でき、従来で使用されていたプラスチックと比較して有害物質が出難い。
【００１１】
以下、本考案の実施例を図面に基づいて具体的に説明する。
【実施例１】
【００１２】
図１は実施例のコア保管箱の分解斜視図、図２は実施例のコア保管箱の斜視図、図３は図２のＡ−Ａ断面図、図４は実施例のストッパーの説明図、図５は実施例のコア保管箱の使用状態を示す説明図である。図中、１はコア保管箱、２は木箱、２ａは仕切板、２ｂは細長空間、２ｃは箱蓋、３は蝶番、４はロックピン、５はトレイ、５ａは仕切壁、５ｂは収容空間、５ｃは縁片、５ｄはトレイ蓋、６はストッパー、６ａは縁片、Ｃはコアである。
【００１３】
本実施例のコア保管箱１の木箱２は、図１〜４に示すように、ベニヤ板で上方が開放された長さ１０００ｍｍ、幅３４０ｍｍ、高さ７５ｍｍの大きさに組み立て、対向する側板間に４枚のベニヤ製の仕切板２ａを短手方向に所定間隔おいて取り付けて内部空間を５箇所の細長空間２ｂに仕切り、木箱２の長手縁部にベニヤ製の箱蓋２ｃを蝶番３で開閉自在に蝶着し、箱蓋２ｃの閉鎖状態を保持するロックピン４を木箱２の側面に取り付けている。
【００１４】
トレイ５は、ポリプロピレンとポリエチレンとタルクを混合した薄いプラスチック材料を細長空間２ｂの形状に合わせて成型して上方が開放された５箇所の収容空間５ｂを形成し、木箱２の内側に脱着自在に重ね合わせて配置している。外周部は木箱２の縁部に掛止するための縁片５ｃが形成され、長手方向の縁片５ｃに同じ材料で構成したトレイ蓋５ｄを開閉自在に一体成型している。収容空間５ｂには同じ材料で成型したストッパー６をトレイ５の縁片５ｃと仕切壁５ａに縁片６ａを掛止して摺動自在に配置している。
【００１５】
使用時は、図５に示すように、地質調査現場で採取した複数のコアＣをトレイ５の収容空間５ｂにそれぞれ収容し、コアＣが収容空間５ｂより短い場合はストッパー６を収容空間５ｂに沿って摺動させてコアＣの端部に当接して動かないように定位置に保持し、トレイ蓋５ｄと箱蓋２ｃを閉鎖してロックピン４で固定する。このとき、重なったトレイ５の縁片５ｃとトレイ蓋５ｄは箱蓋２ｃの閉鎖で密接され、コアＣの湿気の流出を防止する。
【００１６】
このように、コアＣの湿気は収容空間５ｂ内に封止されるから採取時の状態が長期に渡って保存され、後日に検査しても正確な地質情報を得ることができる。また、コアＣは木箱２と接することがないから、木箱２の腐食や汚れを防止して再利用が容易であり、トレイ５やトレイ蓋５ｄも簡単な水洗いで何度も使用できる。
【産業上の利用可能性】
【００１７】
本考案のコア保管箱は、地質調査で採取した土砂や岩石等のコアを収容して保管する用途に利用される。
【図面の簡単な説明】
【００１８】
【図１】実施例のコア保管箱の分解斜視図である。
【図２】実施例のコア保管箱の斜視図である。
【図３】図２のＡ−Ａ断面図である。
【図４】実施例のストッパーの説明図である。
【図５】実施例のコア保管箱の使用状態を示す説明図である。
【符号の説明】
【００１９】
１  コア保管箱
２  木箱
２ａ  仕切板
２ｂ  細長空間
２ｃ  箱蓋
３  蝶番
４  ロックピン
５  トレイ
５ａ  仕切壁
５ｂ  収容空間
５ｃ  縁片
５ｄ  トレイ蓋
６  ストッパー
６ａ  縁片
Ｃ  コア
【図１】
0003123863.tif 000003
【図２】
0003123863.tif 000004
【図３】
0003123863.tif 000005
【図４】
0003123863.tif 000006
【図５】
0003123863.tif 000007